(57)【要約】【課題】トーションバネとの接触によってアームに傷がつくのを防止することのできるアーム装置を提供する。【解決手段】本発明のアーム装置は、灯具を保持するアーム４の基端部がアーム支持部３４に回動自在に軸着され、アーム支持部３４に取り付けられたトーションバネ７の自由腕部７３が上記アーム４に係合されて、アーム４が起立方向に付勢されるアーム装置において、アーム４における、トーションバネ７の自由腕部７３が係合する位置に、アーム４の軸方向に沿って摺動しうるスライダ８が装着され、このスライダ８にトーションバネ７の自由腕部７３が係合されたものである。【選択図】図３
2006164554.tif 000002
【特許請求の範囲】
【請求項１】
先端側に灯具を保持するアームの基端部が、アーム支持部に回動自在に軸着され、アーム支持部に取り付けられたトーションバネの自由腕部が上記アームに係合されて、アームが起立方向に付勢されてなるアーム装置において、
上記アームには、トーションバネの自由腕部が係合する位置に、アームの軸方向に沿って摺動しうるスライダが装着され、このスライダにトーションバネの自由腕部が係合されていることを特徴とするアーム装置。
【請求項２】
トーションバネの自由腕部には、アームの回動面と略直交する方向に延びる係合部が形成されるとともに、スライダには、アームの回動面と略直交する方向に延びる溝部がアームの傾倒側に開口して形成され、この溝部に上記係合部が係合されていることを特徴とする請求項１に記載のアーム装置。
【発明の詳細な説明】
【技術分野】
【０００１】
本発明は、アームを介して灯具を移動させる構造を備えた照明器具において、アームを回動自在に保持するためのアーム装置に関する。
【背景技術】
【０００２】
例えば卓上型スタンドのような、アームの回動によって灯具を移動させることのできる照明器具の多くは、机上等に載置または固定される基体とアームとの接続部分、あるいはアーム同士が連結される関節部分にバネ部材を取り付けて、アームの回転モーメントとバネ部材の変形弾性とをバランスさせることにより、アームを任意の位置で固定できるように構成されている。かかるアーム装置のうち、バネ部材にトーションバネを採用したものとして、特許文献１記載のものが公知である。
【０００３】
上記文献記載のアーム装置においては、図４に示すように、関節部材９１に取り付けたトーションバネ９２の一方の腕部（自由腕部）９３を、二本平行に軸着されたアーム９４のうち下側のアームに下方から当接させて、アーム９４に起立方向の付勢力を作用させている。
【特許文献１】特開平６−３０９９１５号公報
【発明の開示】
【発明が解決しようとする課題】
【０００４】
上記特許文献１記載のようなアーム装置では、トーションバネ９２の自由腕部９３が直接、アーム９４に当接しているので、アーム９４の上下動に伴って、アーム９４とトーションバネ９２との接触部分がこすれ合い、アーム９４の表面に傷がついてしまう。
【０００５】
そこで本発明は、トーションバネとの接触によってアームに傷がつくのを防止することができ、かつ、それを組立ての容易な簡素な構造で実現することのできるアーム装置を提供するものである。
【課題を解決するための手段】
【０００６】
上記した目的を達成するため、本発明のアーム装置は、先端側に灯具を保持するアームの基端部が、アーム支持部に回動自在に軸着され、アーム支持部に取り付けられたトーションバネの自由腕部が上記アームに係合されて、アームが起立方向に付勢されてなるアーム装置において、上記アームには、トーションバネの自由腕部が係合する位置に、アームの軸方向に沿って摺動しうるスライダが装着され、このスライダにトーションバネの自由腕部が係合されていることを特徴とする。
【０００７】
この発明によれば、トーションバネの自由腕部が直接、アームに当接するのではなく、スライダを介してアームに係合するので、アームとトーションバネとがこすれ合ってアームに傷がつくのを防止することができる。
【０００８】
さらに本発明のアーム装置は、トーションバネの自由腕部には、アームの回動面と略直交する方向に延びる係合部が形成されるとともに、スライダには、アームの回動面と略直交する方向に延びる溝部がアームの傾倒側に開口して形成され、この溝部に上記係合部が係合されていることを特徴とする。この発明によれば、スライダの溝部にトーションバネの係合部を当てがうだけでスライダとトーションバネとを係合させることができるので、部品の製造や組立てがきわめて簡単になる。
【０００９】
なお、本発明におけるアーム支持部とは、照明器具の基体側に不動状態で設けられてアームを支持する部分であって、特にその詳細な構造を限定するものではない。アームの構造については、平行な一対のアームによって四節平行リンクを構成するものが一般的であるが、この場合は、いずれか一方のアームに対してトーションバネが係合される。ただし、アームが１本だけしかないアーム装置についても本発明は適用可能である。また、複数本または複数組のアームを連結した多段アーム装置において、その関節部分に本発明を適用することも可能であり、この場合は、アームの端部が軸着される関節部分の部材をアーム支持部と見なす。
【００１０】
本発明のアーム装置に利用するトーションバネは、コイル部が１個で腕部が２本のものでもよいが、相対する２個のコイル部からそれぞれ２本ずつの腕部が伸び、そのうち１本ずつが一体的に連続した、いわゆるダブルトーションバネを用いることもできる。ダブルトーションバネを使用する場合には、アームの左右両側にトーションバネのコイル部を配置することができるので、アームに対する付勢力をバランスよく作用させることができて好ましい。
【００１１】
スライダは、アームに挿装可能あるいは嵌装可能な筒状や略Ｕ字状等に形成されるが、詳細な形状はアームの断面形状に応じて適宜決定されればよい。スライダの材質としては、アームとの摩擦抵抗を低減させうる高潤滑性樹脂、例えば高密度ポリエチレンやポリオレフィン等が好適であるが、必ずしもそれらに限定されるものではない。
【発明の効果】
【００１２】
上述のように構成される本発明のアーム装置によれば、トーションバネの自由腕部が直接、アームに当接せずに、スライダを介してアームに係合するので、アームとトーションバネとがこすれ合ってアームに傷がつくのを防止することができる。
【００１３】
さらに、スライダに形成した溝部にトーションバネの自由腕部を係合させるように構成すれば、組立てもきわめて簡単になり、製造コストを抑制することができる。
【発明を実施するための最良の形態】
【００１４】
以下、本発明の実施の形態について図を参照して説明する。
【００１５】
図１は、本発明のアーム装置を用いた卓上型スタンド１の全体的な形状を示す。この卓上型スタンド１は、机上等に載置されるベース２と、ベース２上に立設された支柱３とによって基体が構成されている。支柱３の上部には、一対のアーム４が上下方向に回動自在に取り付けられ、アーム４の上端部には、灯具支持部５を介して灯具６が首振り可能に取り付けられている。一対のアーム４の基端部及び先端部は、それぞれ支柱３の上部及び灯具支持部５に軸着されて四節平行リンクとなされ、アーム４の角度に係わらず灯具６が同じ姿勢で平行移動するように構成されている。
【００１６】
本発明のアーム装置は、支柱３とアーム４との連結部分（図１中の丸囲み部分Ａ）に採用されている。当該連結部分の構造を図２、図３に拡大して示す。
【００１７】
支柱３の外殻を構成するカバー３１の内側には、略箱状の部品収納部３２が設けられ、その中に配線基板や安定器等の電器部品（図示略）が組み付けられている。符号３３は点消灯スイッチである。部品収納部３２の上部には、アーム支持部３４が設けられている。例示の形態に係るアーム支持部３４は、２本のアーム４を両側から挟むように相対して起立する一対のアーム支持片を有し、アーム４の延長方向の一部が斜めに切り欠かれた形状をなしている。２枚のアーム支持片を水平方向に貫通するように配置されたボルト・ナット部材４１、４２またはピン部材を介して、各アーム４の基端部がアーム支持部３４に軸着され、これによりアーム４が上下方向に回動自在に保持される。
【００１８】
例示の形態で用いられているトーションバネ７は、２個のコイル部７１を有するダブルトーションバネであって、各コイル部７１がアーム支持部３４の両側に配置され、各コイル部７１から延出する２本の腕部のうち一方の腕部（固定腕部）７２が、それぞれ下側のアーム４を軸着しているボルト・ナット部材４１に巻回されて固定されている。他方の腕部（自由腕部）７３は、上側のアーム４を下方から支承するように伸び、その先端に、アーム４の回動面と直交する方向に延びる係合部７４が形成されて、この係合部７４を介して両側の自由腕部７３が一体に連続している。
【００１９】
トーションバネ７の係合部７４は、上側のアーム４に装着されたスライダ８に係合している。スライダ８は、アーム４の外周面と略同形状の筒孔を有する部材で、その筒孔がアーム４に挿装されて、アーム４の軸方向に摺動する。このスライダ８は、例えば高密度ポリエチレン樹脂等の高潤滑性樹脂により形成され、アーム４との摩擦抵抗を小さくするようになされている。図３に示すように、スライダ８の、アーム４の傾倒側に面した部分は平坦面となされ、この平坦面に、アーム４の回動面と直交する方向に延びる断面略半円形の溝部８１が、アーム４の傾倒側に開口して形成されている。この溝部８１は、トーションバネ７の係合部７４と略同径に形成されて、ここにトーションバネ７の係合部７４が嵌合している。
【００２０】
このアーム装置では、トーションバネ７の自由腕部７３及び係合部７４を上方に跳ね上げようとする弾性力が、スライダ８を介してアーム４を起立させる方向に付勢し、その付勢力とアーム４に作用する傾倒方向のモーメントとがバランスして、アーム４を任意の角度で固定することができる。トーションバネ７の係合部７４に係合されたスライダ８は、アーム４の傾倒角度に応じてアーム４の軸方向に摺動する。このような構成によって、トーションバネ７がアーム４に直接、接触するのを回避し、アーム４に傷がつくのを防ぐことができる。
【００２１】
また、このアーム装置は、スライダ８に形成した溝部８１に、アーム４の傾倒側からトーションバネ７が係合するように構成されているので、その組立てに際しては、予めアーム４にスライダ８を装着しておき、アーム支持部３４にアーム４を軸着した後、アーム支持部３４に取り付けたトーションバネ７の係合部７４をスライダ８の溝部８１に当てがうだけで済み、トーションバネ７とスライダ８とを複雑な手段で連結せずとも、トーションバネ７の弾性力をアーム４に伝達することができる。したがって、組立性にも優れ、効率的かつ経済的に製造することができる。
【図面の簡単な説明】
【００２２】
【図１】本発明のアーム装置を採用した卓上型スタンドの全体側面図である。
【図２】図１の卓上型スタンドにおける支柱とアームとの連結構造を示す部分側面図である。
【図３】同じく、支柱とアームとの連結構造を示す部分斜視図である。
【図４】従来技術に係るアーム装置の構成を示す部分側面図である。
【符号の説明】
【００２３】
３４  アーム支持部
４    アーム
６    灯具
７    トーションバネ
７３  自由腕部
７４  係合部
８    スライダ
８１  溝部
【図１】
2006164554.tif 000003
【図２】
2006164554.tif 000004
【図３】
2006164554.tif 000005
【図４】
2006164554.tif 000006